(57)【要約】【課題】端子締結部における接触抵抗を良好な状態に保ちつつ、回路変更に容易かつ迅速に対応することができる、新規な構造の電気接続箱を提供すること。【解決手段】箱本体１２と、箱本体１２に収容配置された内部回路３８ａ，３８ｂと、箱本体１２に収容配置された第一締結具６２を備えた端子締結部９４を有し、内部回路３８ａ，３８ｂに設けられた複数の接続端子部５４ａ，５４ｂが第一締結具６２の第一座面９６上に配置されると共に、複数の接続端子部５４ａ，５４ｂが外部電線７８端末に圧着された接続端子７６と共に締結固定される電気接続箱１０において、複数の接続端子部５４ａ，５４ｂが、それぞれ第一締結具６２の第一座面９６を部分的に覆う大きさで形成される複数の分割端子部５４ａ，５４ｂを含んでおり、分割端子部５４ａ，５４ｂは第一締結具６２の軸方向で相互に重ならない領域に配置されるようにした。【選択図】図１
2018064393.tif 000002
【特許請求の範囲】
【請求項１】
箱本体と、
前記箱本体に収容配置された内部回路と、
前記箱本体に収容配置された、ボルトおよびナットの一方で構成される第一締結具を備えた端子締結部を有し、
前記内部回路に設けられた複数の接続端子部が前記第一締結具の座面上に配置されると共に、前記ボルトおよび前記ナットの他方で構成されて前記第一締結具に締結される第二締結具と前記座面との間で、前記複数の接続端子部が外部電線端末に圧着された接続端子と共に締結固定されるようになっている電気接続箱において、
前記複数の接続端子部が、それぞれ前記第一締結具の前記座面を部分的に覆う大きさで形成された複数の分割端子部を含んでおり、該分割端子部は前記第一締結具の軸方向で相互に重ならない領域に配置されるようになっている
ことを特徴とする電気接続箱。
【請求項２】
前記複数の分割端子部が、前記第一締結具の前記座面上において、前記第一締結具の径方向で２分される一方の領域を覆う大きさで形成された第一接続端子部と、他方の領域を覆う大きさで形成された第二接続端子部を含んでおり、
前記第一接続端子部と前記第二接続端子部のそれぞれが、相手方に向かって突出する凸部と、相手方の該凸部を収容する凹部を備えており、
前記第一接続端子部と前記第二接続端子部が前記座面上に正規に配置された状態で、前記凸部と前記凹部がそれぞれ嵌合されている請求項１に記載の電気接続箱。
【請求項３】
前記第一接続端子部と前記第二接続端子部のそれぞれにおいて、前記凸部と前記凹部が、前記第一締結具の中心を間に挟んだ前記径方向の両側に位置して一対設けられている請求項２に記載の電気接続箱。
【発明の詳細な説明】
【技術分野】
【０００１】
本発明は、自動車等に搭載される電気接続箱に係り、特にボルトとナットの一対の締結具の一方が配設された端子締結部を備えた電気接続箱に関するものである。
【背景技術】
【０００２】
従来から、自動車の電装系にはヒューズボックス、ジャンクションボックス等の電気接続箱が用いられており、電気配線の効率化やメンテナンス性の向上が図られている。近年では、ハイブリッドカーの普及や電気自動車の実用化に伴って電流容量の大きな電気接続箱が求められている。それゆえ、かかる電気接続箱においては、例えばナットが収容配置されたあるいはボルトが立設された端子締結部を備えたものが増加している。例えば、特開２００８−７９４８２号公報（特許文献１）には、複数の内部回路を構成するバスバーの端部に設けられた接続端子部をボルトに挿通して配設する一方、かかるボルトに電線端末に圧着されたＬＡ端子を挿通して該ボルトに締結されるナットにより締め付け固定することにより、内部回路と外部の電線が電気接続される構造を有する電気接続箱が示されている。
【０００３】
加えて、近年の車種の多品種化に対応するため、すなわち自動車のグレード違い等による回路変更に柔軟に対応可能とするために、複数グレードの車種に用いられる電気接続箱に対して、まずハイグレードの車種のために設計が行われ、次にその設計から不要となる電気部品やバスバー等を抜くことによりローグレードの車種のための設計が行われている。これにより、複数グレードの車種に向けた設計を容易に行うことが可能となり、自動車のグレード違い等による回路変更に対して容易かつ迅速に対応可能となるのである。
【０００４】
しかしながら、ローグレードの車種のための設計が、ハイグレードの車種のための設計から不要となる電気部品やバスバー等を抜くことによって行われていることから、端子締結部においてボルトに挿通された接続端子部の重ね合わせ方向、すなわちボルトの軸方向に接続端子部の抜けによる隙間が生じる場合があった。すなわち、バスバー等の配設位置は電気接続箱のバスバー装着溝等によって位置決めされており、不要なバスバーを抜いた場合に、接続端子部間に生じた隙間を吸収することが困難となるのである。それゆえ、ナット締結時に接続端子部が傾いた状態で締結されることにより、ボルトの座面とナット間で締め付けられるＬＡ端子と接続端子部間の接触抵抗が高くなり良好な電気接続がなされないおそれがあった。
【先行技術文献】
【特許文献】
【０００５】
【特許文献１】特開２００８−７９４８２号公報
【発明の概要】
【発明が解決しようとする課題】
【０００６】
本発明は、上述の事情を背景に為されたものであって、その解決課題は、端子締結部における接触抵抗を良好な状態に保ちつつ、回路変更に容易かつ迅速に対応することができる、新規な構造の電気接続箱を提供することにある。
【課題を解決するための手段】
【０００７】
本発明の第一の態様は、箱本体と、前記箱本体に収容配置された内部回路と、前記箱本体に収容配置された、ボルトおよびナットの一方で構成される第一締結具を備えた端子締結部を有し、前記内部回路に設けられた複数の接続端子部が前記第一締結具の座面上に配置されると共に、前記ボルトおよび前記ナットの他方で構成されて前記第一締結具に締結される第二締結具と前記座面との間で、前記複数の接続端子部が外部電線端末に圧着された接続端子と共に締結固定されるようになっている電気接続箱において、前記複数の接続端子部が、それぞれ前記第一締結具の前記座面を部分的に覆う大きさで形成された複数の分割端子部を含んでおり、該分割端子部は前記第一締結具の軸方向で相互に重ならない領域に配置されるようになっていることを特徴とする。
【０００８】
本態様によれば、内部回路の複数の接続端子部が、第一締結具の座面を部分的に覆う大きさで形成され、第一締結具の軸方向で相互に重ならない領域に配置される分割端子部を含んで構成されるようになっている。これにより、車種やグレードにより選択的に用いられる回路のある場合、それら回路の接続端子部を分割端子部を用いて構成することができる。その結果、ローグレード車種用に接続端子部の一部が不要となる場合でも、第一締結具の座面上において部分的に接続端子部が抜かれるだけであり、従来の如き第一締結具の軸方向に隙間が生じることがない。これにより、外部電線端末の接続端子が上面に重ね合される場合には、各接続端子部において外部電線端末の接続端子との十分な接触面積を確保することができる。それゆえ、各端子締結部が第一締結具の座面と第二締結具との間で確実に締結固定され、端子締結部における接触抵抗を良好な状態に保持しつつ、回路変更に容易かつ迅速に対応することが可能となる。
【０００９】
なお、内部回路の接続端子部には、バスバー等の端末に設けられた接続端子部や、ヒュージブルリンク等の部品に設けられた接続端子部などが含まれる。また、第一締結具および第二締結具は、相互に締結され得るものであればよく、ボルトとナットやその逆等の周知の締結具の採用が可能である。
【００１０】
加えて、端子締結部に締結固定される複数の接続端子部の全てが、第一締結具の座面の一部を覆う大きさで形成される必要はなく、例えば、何れの場合も必ず必要となる回路の接続端子部は、従来の如き中央に第一締結具の軸部の挿通孔を有し座面全体を覆う形状とし、選択的に用いられる回路用の接続端子部を第一締結具の座面を部分的に覆う大きさで形成するようにしてもよい。
【００１１】
本発明の第二の態様は、前記第一の態様に記載のものにおいて、前記複数の分割端子部が、前記第一締結具の前記座面上において、前記第一締結具の径方向で２分される一方の領域を覆う大きさで形成された第一接続端子部と、他方の領域を覆う大きさで形成された第二接続端子部を含んでおり、前記第一接続端子部と前記第二接続端子部のそれぞれが、相手方に向かって突出する凸部と、相手方の該凸部を収容する凹部を備えており、前記第一接続端子部と前記第二接続端子部が前記座面上に正規に配置された状態で、前記凸部と前記凹部がそれぞれ嵌合されているものである。
【００１２】
本態様によれば、第一接続端子部と第二接続端子部が、第一締結具の座面の略半分の領域を覆う大きさとされている。これにより、外部電線端末の接続端子が第一締結具の座面に重ね合される場合には、各分割端子部において外部電線端末の接続端子との十分な接触面積を確保することができる。しかも、第一接続端子部と第二接続端子部が座面上に正規に配置された状態で、それぞれに設けられた凸部が相手方にそれぞれ設けられた凹部に嵌合されるようになっている。それゆえ、各分割端子部は、この凸部を有することにより、径方向で２分された座面の一方側のみならず、他方側にも部分的に配設されるようになっている。これにより、第二締結具による締結固定力をいずれの分割端子部に対しても安定して及ぼすことができ、一層安定した電気接続状態を実現できる。
【００１３】
本発明の第三の態様は、前記第二の態様に記載のものにおいて、前記第一接続端子部と前記第二接続端子部のそれぞれにおいて、前記凸部と前記凹部が、前記第一締結具の中心を間に挟んだ前記径方向の両側に位置して一対設けられているものである。
【００１４】
本態様によれば、第一接続端子部と第二接続端子部が、第一締結具の中心を間に挟んだ径方向の両側に位置して一対の凸部と凹部を有している。これにより、各分割端子部が、径方向で２分された座面の一方側のみならず、他方側に部分的に配設される部位をバランスよく有することができ、第二締結具による締結固定力をいずれの分割端子部に対しても一層安定して及ぼすことができる。
【発明の効果】
【００１５】
本発明によれば、内部回路の複数の接続端子部が、第一締結具の座面を部分的に覆う大きさで形成され、第一締結具の軸方向で相互に重ならない領域に配置される分割端子部を含んで構成されている。これにより、車種やグレードにより選択的に用いられる回路のある場合、それら回路の接続端子部を分割端子部を用いて構成できる。その結果、ローグレード車種用に接続端子部の一部が不要となる場合でも、第一締結具の座面上において部分的に接続端子部が抜かれるだけであり、従来の如き第一締結具の軸方向に隙間が生じることがない。これにより、各接続端子部において外部電線端末の接続端子との十分な接触面積を確保できることから、端子締結部における接触抵抗を良好な状態に保持しつつ、回路変更に容易かつ迅速に対応できる。
【図面の簡単な説明】
【００１６】
【図１】本発明の第一の実施形態としての電気接続箱を示す分解斜視図。
【図２】図１に示す電気接続箱の全体斜視図。
【図３】図２に示す電気接続箱からＬＡ端子を取り外した状態を示す斜視図。
【図４】図３の平面図。
【図５】図２の平面図。
【図６】図５におけるＶＩ−ＶＩ断面の要部拡大図。
【図７】本発明の第二の実施形態としての電気接続箱を示す分解斜視図。
【図８】図７に示す電気接続箱の全体斜視図。
【図９】図８に示す電気接続箱からＬＡ端子を取り外した状態を示す平面図。
【図１０】図８におけるＸ−Ｘ断面の要部拡大図。
【発明を実施するための形態】
【００１７】
以下、本発明の実施形態について、図面を参照しつつ説明する。
【００１８】
図１〜６に、本発明の第一の実施形態としての電気接続箱１０が示されている。電気接続箱１０は、図１に示されているように、箱本体１２と、箱本体１２の上面１４を覆蓋する図示しないアッパケースと、下面１６を覆蓋するロアケース１８、とを含んで構成されている。なお、以下の説明において、上方とは、図１〜３中の上方、下方とは、図１〜３中の下方を言い、また前方とは、図４〜５中の左方、後方とは、図４〜５中の右方を言い、さらに長さ方向とは、図４〜５中の左右方向、幅方向とは、図４〜５中の上下方向を言うものとする。
【００１９】
箱本体１２は、全体として長手矩形ブロック形状を呈しており、例えばポリプロピレン（ＰＰ）、ポリアミド（ＰＡ）等の絶縁性の合成樹脂により射出成形等によって一体形成されている。かかる箱本体１２には、複数の図示しない端子装着孔が貫設されている。図１〜５に示されているように、端子装着孔の一端側に当たる上端側が開口する箱本体１２の上面１４のうち幅方向（図４〜５中、上下方向）の手前側と奥方側にはそれぞれ、多数のヒューズ装着部２０ａ，２０ｂといくつかのリレー装着部２２ａ，２２ｂが設けられている。一方、端子装着孔の他端側に当たる下端側が開口する箱本体１２の下面１６には、複数の端子装着孔間を跨って延びる図示しないバスバー装着溝が設けられている。また、図１および図４〜５に示されているように、箱本体１２の幅方向に対向する両周壁２４ｂ，２４ｄにはそれぞれ２つのロック部２５が長さ方向に離隔して設けられている一方、箱本体１２の周壁２４ｃには、下方に向かって延び出す延出壁部２６と延出壁部２６の延出端部から後方斜め下方に向かって延び出す略半円筒形状の電線引き出し部２７ａが設けられている。
【００２０】
そして、ヒューズ装着部２０ａ，２０ｂやリレー装着部２２ａ，２２ｂに対して、箱本体１２の上面１４側から図示しないヒューズやリレーが装着されることにより、リレーやヒューズから突出するタブ端子が、端子装着孔に対して収容配置されるようになっている。なお、図示は省略するが、端子装着孔に対して箱本体１２の下面１６側から、外部の電気機器や電気回路等に導通接続された電線の端末に圧着された圧着端子等が収容配置されると共に内部回路を構成するバスバー２８がバスバー装着溝に装着支持されていることから、端子装着孔に収容配置されたタブ端子に対して、電線の端末に設けられた圧着端子や後述するバスバー２８の接続端子３０が接続されて導通接続されるようになっているのである。
【００２１】
図１に示されているように、バスバー２８は、導電性金属板の打抜屈曲加工等で形成されたプレートであって、その上端部には音叉端子やタブ端子からなる複数の接続端子３０が突設されて構成されている。これにより、かかる接続端子３０を支持するバスバー２８の基端部がバスバー装着溝に装着支持された状態で、ヒューズ装着部２０ａ，２０ｂに対して接続端子３０が配設されるようになっているのである。また、バスバー２８の基端部の後端側には、平面視で略クランク状に屈曲されて突設されかつ突出先端部の上端側が手前側に向かって屈曲されることにより接続端子部３２が構成されている。なお、かかる接続端子部３２の中央部には貫通孔３４が板厚方向に貫設されており、バスバー２８の基端部がバスバー装着溝に装着支持された状態で、接続端子部３２の貫通孔３４が後述する第一締結具としてのボルト６２の第二ねじ部７０に挿通されるようになっている。
【００２２】
また、図１〜５に示されているように、箱本体１２の上面１４の中央部分には、ヒュージブルリンク装着部３６ａ，３６ｂが、幅方向（図４〜５中、上下方向）に隣接して設けられている。かかるヒュージブルリンク装着部３６ａ，３６ｂは上方および下方に向かって開口する略横長角筒形状とされており、箱本体１２の上面１４および下面１６から突出するように形成されている。そして、ヒュージブルリンク装着部３６ａ，３６ｂに対して、箱本体１２の上面１４側から、内部回路を構成するヒュージブルリンク３８ａ，３８ｂが装着されるようになっている（図１参照）。かかるヒュージブルリンク３８ａ，３８ｂは、電源分配用バスバー４０ａ，４０ｂと、電源分配用バスバー４０ａ，４０ｂを収容するケース４２、を含んで構成されている。なお、理解を容易とするため、ケース４２に収容された部分の電源分配用バスバー４０ａ，４０ｂについては、図１に示すヒュージブルリンク３８ａの電源分配用バスバー４０ａのみ点線で記載している。より詳細には、電源分配用バスバー４０ａ，４０ｂは、図１に示されているように、電源入力端子部４４ａ，４４ｂと電源分岐端子部４６が溶断部４８を介して板状導通部５０で接続された構成を有しており、導電性金属板をプレス打抜屈曲加工することによって形成されている。ここで、板状導通部５０は、電源分配用バスバー４０ａ，４０ｂの上端側において、電源分配用バスバー４０ａ，４０ｂの長さ方向の略全長に亘って延出する側面視で略横長矩形状のプレートとされている。電源入力端子部４４ａは、板状導通部５０の後端部が後方（図４中、右方）に向かってケース４２から突出された側面視で略矩形状の延出部５２ａと、延出部５２ａの下端部から手前側（図４中、下側）に向かって延び出す平面視で略縦長矩形状の接続端子部たる分割端子部５４ａを含んで構成されている。そして、分割端子部５４ａは、後述するボルト６２の中央支持部６６の第一座面９６上において、ボルト６２の径方向で２分される一方の領域を覆う大きさで形成された第一接続端子部５６ａを含んで構成されている（図１および図３〜４参照）。一方、電源入力端子部４４ｂは、板状導通部５０の後端部が後方（図４中、右方）に向かってケース４２から突出された後に下方に向かって延び出す側面視で略鉤形状の延出部５２ｂと、延出部５２ｂの下端部から手前側（図４中、下側）に向かって延び出す平面視で略縦長矩形状の接続端子部たる分割端子部５４ｂを含んで構成されている（図１および図３〜４参照）。そして、分割端子部５４ｂは、ボルト６２の第一座面９６上において、ボルト６２の径方向で２分される他方の領域を覆う大きさで形成された第二接続端子部５６ｂを含んで構成されている。なお、図４に示されているように、第一接続端子部５６ａと第二接続端子部５６ｂのそれぞれが、相手方に向かって突出する凸部５８と、相手方の該凸部５８を収容する凹部６０を備えて構成されている。しかも、かかる凸部５８と凹部６０は、第一接続端子部５６ａと第二接続端子部５６ｂのそれぞれにおいて、第一締結具の中心であるボルト６２の軸部を間に挟んだ径方向の両側に位置して一対設けられている。
【００２３】
加えて、図１〜５に示されているように、箱本体１２の上面１４の後端部の手前側（図４〜５中、右下側）には、ボルト６２を収容するボルト収容部６４が設けられている（図１参照）。ボルト６２は、図１に示されているように、平面視で略矩形平板状の中央支持部６６から軸方向両側に向って第一および第二ねじ部６８，７０が棒状に突出して構成されている。また、ボルト収容部６４は、箱本体１２の上面１４に略矩形凹状に開口する支持部収容部７２と、支持部収容部７２の中央部分において支持部収容部７２の底壁を貫通する略円形断面形状の貫通孔７４を含んで構成されている。
【００２４】
図１に示されているように、ボルト６２の第一ねじ部６８には、接続端子を構成するＬ字形状のＬＡ端子７６が取り付けられて固定接続されるようになっている。ＬＡ端子７６は、外部電線７８の端末に露呈された芯線８０に接続された状態で使用される。より詳細には、外部電線７８は、導体である銅やアルミニウムその他の金属線の複数を束ね合わせた芯線８０が、エチレン系樹脂やスチレン系樹脂等の電気絶縁性を有する絶縁被覆で覆われた構造とされている。一方、ＬＡ端子７６はＬ字状に屈曲された金属片によって構成されており、その先端部には、ボルト挿通孔８２を有する接続部８４が形成されている。また、ＬＡ端子７６の基端部には、外部電線７８の端末から延出する芯線８０が圧着接続される芯線圧着部８６が形成されている。
【００２５】
一方、箱本体１２の下面１６を覆蓋するロアケース１８は、上方に開口する略箱体形状を有している。そして、底面視において箱本体１２の下面１６と略同一の略矩形状に形成されており、例えばポリプロピレン（ＰＰ）、ポリアミド（ＰＡ）等の絶縁性の合成樹脂により射出成形等によって一体形成されている。かかるロアケース１８の幅方向で対向する周壁部の内面には被ロック部８８が突設されており、被ロック部８８がそれぞれ箱本体１２のロック部２５に嵌合されることにより、箱本体１２の下面１６をロアケース１８によって覆蓋状態でロックできるようになっている。また、ロアケース１８の周壁部の後面の一部が上下方向の略全長に亘って切り欠かれていると共に、切り欠かれた領域の下端部から後方斜め下方に向かって延び出す略半円筒形状の電線引き出し部２７ｂが設けられている。これにより、箱本体１２の下面１６をロアケース１８によって覆蓋した際に、箱本体１２の電線引き出し部２７ａとロアケース１８の電線引き出し部２７ｂが組み合わされて、全体として略円筒形状の電線引き出し部２７が構成されるようになっている。
【００２６】
このような構成とされた電気接続箱１０が、以下のようにして組み立てられる。まず、箱本体１２の下面１６側からバスバー装着溝にバスバー２８を装着保持する。これにより、ヒューズ装着部２０ａ，２０ｂの端子装着孔にバスバー２８の接続端子３０が配設されるようになっている。続いて、ヒューズ装着部２０ａ，２０ｂやリレー装着部２２ａ，２２ｂに対して、箱本体１２の上面１４側から図示しないヒューズやリレーを装着することにより、リレーやヒューズから突出するタブ端子が、端子装着孔に収容配置される。これにより、ヒューズから突出するタブ端子の片方がバスバー２８の接続端子３０に対して接続される一方、もう片方のタブ端子が電線の端末に設けられた圧着端子に接続されるようになっている。さらに、ヒュージブルリンク装着部３６ａ，３６ｂに対して、箱本体１２の上面１４側からヒュージブルリンク３８ａ，３８ｂを装着することにより、ヒュージブルリンク３８ａ，３８ｂのタブ端子状の電源分岐端子部４６が、ヒュージブルリンク装着部３６ａ，３６ｂの下面１６側から下方に向かって突出されるようになっている。そして、かかる電源分岐端子部４６に対しても電線の端末に設けられた圧着端子が接続されるようになっている。このようにして、箱本体１２の下面１６側に突出された図示しないタブ端子および電源分岐端子部４６に対して接続された圧着端子から延び出す電線が、箱本体１２の下面１６をロアケース１８によって覆蓋した際に画成される電線引き出し部２７を通して外部に引き出されるようになっている。なお、以上の結果、箱本体１２には、複数の内部回路２８，３８ａ，３８ｂが収容配置されている。
【００２７】
なお、かかる状態において、図６に示されているように、バスバー２８の接続端子部３２は、ボルト６２の第二ねじ部７０に挿通されてボルト６２の中央支持部６６の第二座面９０に配設されている。それゆえ、箱本体１２の下面１６側からナット９２を用いて締結することにより、ボルト６２に対してバスバー２８を接続すると共にボルト６２をボルト収容部６４に対して固定できるようになっている。この結果、箱本体１２のボルト収容部６４に収容配置されたボルト６２を備えた端子締結部９４が構成されるようになっているのである。また、かかる状態において、電源分配用バスバー４０ａ，４０ｂの分割端子部５４ａ，５４ｂの第一／第二接続端子部５６ａ，５６ｂは、ボルト６２の中央支持部６６の第一座面９６上に配設されている。より詳細には、図１および図３〜４に示されているように、電源分配用バスバー４０ａの分割端子部５４ａの第一接続端子部５６ａは中央支持部６６の第一座面９６の前方側（図４中、左側）に配設されている一方、電源分配用バスバー４０ｂの分割端子部５４ｂの第二接続端子部５６ｂは中央支持部６６の第一座面９６の後方側（図４中、右側）に配設されている。すなわち、電源分配用バスバー４０ａ，４０ｂの分割端子部５４ａ，５４ｂの第一／第二接続端子部５６ａ，５６ｂは、ボルト６２の軸方向（図４中、紙面に垂直な方向）で相互に重ならない領域に配置されるようになっているのである。しかも、このようにして第一接続端子部５６ａと第二接続端子部５６ｂが第一座面９６上に正規に配置された状態で、第一／第二接続端子部５６ａ，５６ｂそれぞれの凸部５８と凹部６０がそれぞれ嵌合されるようになっている（図４参照）。それゆえ、ボルト６２の第一ねじ部６８に対してＬＡ端子７６の接続部８４を挿通して箱本体１２の上面１４側からナット９８を用いて締結することにより、ボルト６２に対して電源分配用バスバー４０ａ，４０ｂおよびＬＡ端子７６を密着状態で安定的に接続することができるようになっている。すなわち、内部回路２８，３８ａ，３８ｂに設けられた複数の接続端子部３２，５６ａ，５６ｂがボルト６２の第一第二座面９０，第二第一座面９６上に配置されると共に、ボルト６２に締結される第二締結具としてのナット９２，９８と第一第二座面９０，第二第一座面９６との間で、複数の接続端子部３２，５６ａ，５６ｂが外部電線端末に圧着されたＬＡ端子７６と共にボルト６２に対して密着状態で安定的に締結固定されるようになっているのである。以上のことから、ＬＡ端子７６に接続された外部電線を例えば図示しないバッテリの電源側端子に導通接続することにより、本実施形態の電気接続箱１０の内部回路２８，３８ａ，３８ｂに設けられた接続端子部３２や電源分岐端子部４６を介してバッテリの電源電圧を分配することができるようになっている。そして、最後に、図示しないアッパケースによって箱本体１２の上面１４を覆蓋することにより、本実施形態の電気接続箱１０が完成される。
【００２８】
このような構造とされた電気接続箱１０によれば、内部回路を構成するヒュージブルリンク３８ａ，３８ｂの接続端子部である分割端子部５４ａ，５４ｂが、ボルト６２の第一座面９６を部分的に覆う大きさで形成され、ボルト６２の軸方向で相互に重ならない領域に配置されるようになっている（図４および図６参照）。これにより、車種やグレードにより選択的に用いられる内部回路がある場合、それら内部回路の接続端子部を分割端子部５４ａ，５４ｂを用いて構成することができる。これにより、すべての内部回路３８ａ，３８ｂを必要とする場合においては、コンパクトな構成で複数の接続端子部５４ａ，５４ｂとＬＡ端子７６との接続を安定して実現できる一方、ローグレード車種用の電気接続箱を設計するに際して接続端子部５４ａ，５４ｂの一部が不要となる場合があっても、ボルト６２の第一座面９６上において部分的に接続端子部５４ａ，５４ｂが抜かれるだけであることから、従来構造のようにボルト６２の軸方向においてボルト６２の第一座面９６とナット９８との間で隙間が生じることがない。したがって、外部電線端末の接続端子であるＬＡ端子７６を第一座面９６側から重ね合わせてナット９８を用いてボルト６２に対して接続固定するような場合であっても、各接続端子部５４ａ，５４ｂにおいて外部電線端末のＬＡ端子７６との十分な接触面積を確保することができる。それゆえ、各接続端子部５４ａ，５４ｂがボルト６２の第一座面９６とナット９８との間で確実に締結固定されることから、端子締結部９４における接触抵抗を良好な状態に保持しつつ、内部回路の変更に容易かつ迅速に対応することが可能となるのである。
【００２９】
また、ボルト６２の第一座面９６上において、分割端子部５４ａの第一接続端子部５６ａが、ボルト６２の径方向で２分される一方の領域を覆う大きさで形成されている一方、分割端子部５４ｂの第二接続端子部５６ｂが、ボルト６２の径方向で２分される他方の領域を覆う大きさで形成されている。したがって、外部電線端末のＬＡ端子７６を第一座面９６側から重ね合わせてナット９８を用いてボルト６２に対して接続固定するような場合であっても、従来構造の場合と同じように、各分割端子部５４ａ，５４ｂにおいて外部電線端末のＬＡ端子７６との間に十分な接触面積を確保することができる（図１および図４参照）。しかも、第一接続端子部５６ａと第二接続端子部５６ｂが第一座面９６上に正規に配置された状態で、第一／第二接続端子部５６ａ，５６ｂそれぞれの凸部５８と凹部６０がそれぞれ嵌合されるようになっている（図４参照）。このように、各分割端子部５４ａ，５４ｂが凸部５８を有していることから、各分割端子部５４ａ，５４ｂは、径方向で２分された第一座面９６の一方側のみならず、他方側にも部分的に配設されるようになっているのである。それゆえ、ナット９８による締結固定力をいずれの分割端子部５４ａ，５４ｂに対しても安定して及ぼすことができることから、端子締結部９４における接触抵抗を良好な状態に保持しつつ、一層安定した電気接続状態を実現できる。加えて、第一接続端子部５６ａと第二接続端子部５６ｂのそれぞれにおいて、凸部５８と凹部６０が、ボルト６２を間に挟んだ径方向の両側に位置して一対設けられている（図４参照）。これにより、各分割端子部５４ａ，５４ｂが、径方向で２分された第一座面９６の一方側のみならず他方側にも部分的に配設される部位をバランスよく有することができることから、ナット９８による締結固定力をいずれの分割端子部５４ａ，５４ｂに対しても一層安定して及ぼすことができるようになっている。
【００３０】
以上、本発明の実施形態について説明してきたが、かかる実施形態における具体的な記載によって、本発明は、何等限定されるものでない。例えば、上記第一の実施形態では、内部回路は、バスバー２８やヒュージブルリンク３８ａ，３８ｂによって構成されていたが、例えば図７〜１０に示す本発明の第二の実施形態の電気接続箱１００のように、ロアケース１０２に収容保持された箱本体１０４ａ〜ｃに収容配置されたヒューズ回路を構成するバスバー１０６ａ〜ｃによって構成されていてもよい。より詳細には、箱本体１０４ａ〜ｃの周壁部には、バスバー１０６ａ〜ｃの電源入力端子部１０８ａ〜ｃが外方に向かって水平方向に突設されており、かかる電源入力端子部１０８ａ〜ｃのうち電源入力端子部１０８ｂ〜ｃが接続端子部を構成する分割端子部１１０ｂ〜ｃを含んで構成されている。本実施形態では、かかる分割端子部１１０ｂ〜ｃが上記第一の実施形態に記載の分割端子部５４ａ〜ｂと同様の形状となるように形成されている。すなわち、バスバー１０６ｂ〜ｃの分割端子部１１０ｂ〜ｃが、ボルト６２の第一座面９６を部分的に覆う大きさで形成され、ボルト６２の軸方向で相互に重ならない領域に配置されるようになっているのである（図９および図１０参照）。それゆえ、本実施形態においても上記第一の実施形態と同様に、各分割端子部１１０ｂ〜ｃがボルト６２の第一座面９６とナット９８との間で確実に締結固定されることから、端子締結部９４における接触抵抗を良好な状態に保持しつつ、内部回路の変更に容易かつ迅速に対応することが可能となる効果があることは明らかである。
【００３１】
また、上記第一および第二の実施形態では、２つの分割端子部５４ａ，５４ｂがある場合を例示して説明を行ったが、ボルト６２等の第一締結具の第一座面９６，第二座面９０上に３つ以上の分割端子部を第一締結具の軸方向で相互に重ならない領域に配設されるようにしてもよい。さらに、上記第一および第二の実施形態では、第一接続端子部５６ａと第二接続端子部５６ｂの両方に凸部５８が設けられていたが、どちらか一方のみに設けられていてもよい。加えて、上記第一および第二の実施形態では、端子締結部９４に締結固定される複数の接続端子部３２，５６ａ，５６ｂのうちの一部にあたる接続端子部５６ａ，５６ｂのみが、ボルト６２の第一座面９６の一部を覆う大きさで形成されていた。すなわち、何れの場合も必ず必要となる内部回路２８の接続端子部３２は、従来の如き中央にボルト６２への挿入用の貫通孔３４を有し第二座面９０全体を覆う形状とし、選択的に用いられる内部回路３８ａ，３８ｂの接続端子部５６ａ，５６ｂをボルト６２の第一座面９６を部分的に覆う大きさで形成していたが、すべての接続端子部をボルト６２の第二座面９０，第一座面９６の一部を覆う大きさで形成してコンパクト化を図ることもできる。さらに、例示の実施形態において、第二座面９０側に複数の分割端子部を装着するようにしてもよい。
【００３２】
また、例示の実施形態では、第一締結具をボルト６２で構成し、接続端子部５４ａ，５４ｂ，１１０ｂ，１１０ｃにボルト６２が立設された態様を示したが、第一締結具をナットで構成し、続端子部５４ａ，５４ｂ，１１０ｂ，１１０ｃにナットを配設した態様においても、本発明と同様に適用できることは言うまでもない。さらに、第一締結具，第二締結具は例示のボルト６２／ナット９２，９８の他、その逆等の周知の一対の第一／第二締結具を採用することができる。
【符号の説明】
【００３３】
１０，１００：電気接続箱、１２，１０４ａ〜ｃ：箱本体、２８，１０６ａ〜ｃ：バスバー（内部回路）、３２：接続端子部、３８ａ，ｂ：ヒュージブルリンク（内部回路）、５４ａ，ｂ，１１０ｂ〜ｃ：分割端子部（接続端子部）、５６ａ：第一接続端子部、５６ｂ：第二接続端子部、５８：凸部、６０：凹部、６２：ボルト（第一締結具）、７６：ＬＡ端子（接続端子）、７８：外部電線、９０：第二座面、９２，９８：ナット（第二締結具）、９４：端子締結部、９６：第一座面
【図１】
2018064393.tif 000003
【図２】
2018064393.tif 000004
【図３】
2018064393.tif 000005
【図４】
2018064393.tif 000006
【図５】
2018064393.tif 000007
【図６】
2018064393.tif 000008
【図７】
2018064393.tif 000009
【図８】
2018064393.tif 000010
【図９】
2018064393.tif 000011
【図１０】
2018064393.tif 000012